(57)【特許請求の範囲】
【請求項１】
制御手段と、記憶手段と、入力手段と、表示手段と、印刷手段と、を備え、
前記制御手段は、前記入力手段に対してユーザによりキー入力された文章が、前記印刷手段により印刷テープへ印刷され、印刷が完了したとき、印刷された当該文章の内容に年月日又は番号が含まれていた場合は、当該年月日又は当該番号に関連付けて当該文章を履歴として前記記憶手段に記憶させ、
前記表示手段は、前記ユーザ又は前記ユーザとは異なるユーザによって、前記入力手段に対して最初の一文字が入力された段階で、前記記憶手段に記憶されていた前記履歴から当該最初の一文字に対応する文章の複数の候補を画面に表示すると共に、当該画面に表示された当該複数の候補のうちの先頭の候補の表示位置にカーソルを、前記入力手段に対するキー入力により移動が可能なように表示する、
ことを特徴とするテープ印字装置。
【請求項２】
前記表示手段は、前記複数の候補の中から１つの候補が前記カーソルにより選択されたとき、選択された候補の文章に前記年月日が関連付けられて記憶されているときは前記年月日を反転表示させると共に、前記年月日の数値のいずれかの下部に合わせて前記カーソルを、前記入力手段に対するキー入力により左右方向に移動が可能なように表示し、
前記入力手段は、前記カーソルの停止位置で、数値入力キーが入力操作されたとき、当該数値入力キーによって入力された数値で前記カーソルの停止位置に最初に表示されていた数値を置き換える、
ことを特徴とする請求項１記載のテープ印字装置。
【請求項３】
前記表示手段は、前記複数の候補の中から１つの候補が前記カーソルにより選択されたとき、選択された候補の文章に前記番号が関連付けられて記憶されているときは前記番号を反転表示させると共に、前記番号のいずれかの数値表示位置にカーソルを、前記入力手段に対するキー入力により、前記数値表示位置を移動が可能なように表示し、
前記入力手段は、前記カーソルの停止位置で、数値入力キーが入力操作されたとき、当該数値入力キーによって入力された数値で前記カーソルの停止位置に最初に表示されていた数値を置き換える、
ことを特徴とする請求項１記載のテープ印字装置。
【請求項４】
前記文章を前記履歴として前記記憶手段に記憶させるとき、前記印刷に使用された前記印刷テープの幅寸法を前記文章に関連付けて記憶させるテープ幅記録手段を更に有し、
前記制御手段は、前記複数の候補の中から１つの候補が選択され、変更すべき入力が完了したと判断したときに、前記テープ幅記録手段が前記記憶手段に記憶させた前記印刷テープの前記幅寸法を、確認問合せ文章とともに前記表示手段に表示する、
ことを特徴とする請求項１記載のテープ印字装置。
【発明の詳細な説明】
【技術分野】
【０００１】
本発明は、ラベルを作成する人が違っていても文章が前回と同一内容の日付違いラベル又は番号違いラベルを効率よく簡単に作成できるテープ印字装置に関する。
【背景技術】
【０００２】
従来、テープカセット内に印刷層と剥離層とを積層してなる印刷テープを収納し、このテープカセットを印刷装置にセットして、キーボード等の入力手段から入力された或いは他の機器から出力された文字、記号、ロゴ、キャラクタ、マーク等を任意に印刷することで、固有のラベルを作成できる装置としてテープ印刷装置が知られている。
【０００３】
このようなテープ印刷装置において使用される印刷テープとしては、従来、文書や文具の管理に利用されるテープ幅の狭いものが一般的であったが、近年、表示や標識として使用可能な程度のテープ幅が広いものも提供され、テープ印刷装置の用途も多種多様に渡っている。
【０００４】
テープ印刷装置の用途としては、例えば、インデックスラベルを印刷する印刷装置（印字制御装置）として使用する提案や、非常に幅が広い印刷テープを使用して、「会議室」や「社長室」といった表札を作成するものなども提案されている。（例えば、特許文献１参照。）
【０００５】
また、文書情報メモリに登録されている文書情報を表示画面に呼び出して所望の文書情報を選択して印字でき、文書情報メモリには、日付情報が含まれる文書情報を日付情報が含まれない文書情報に対して優先的に上位に配置するようにした電子装置が提案されている。（例えば、特許文献２参照。）
【０００６】
ところで、テープ印刷装置では、作成される製品（ラベル）の性質上、例えば、「新製品企画書  ２０１０／９／１６」、「会計報告書  Ｎｏ．１」など、「年月日」や「番号」を含む入力・印刷が行われることが多い。
【０００７】
ところが、現在では、年月日や番号のみ違う文章の同一内容のラベルを作成しようとした場合、文章内容・テープ幅・フォント（種類・サイズ）を目視で確認し、それぞれを設定・入力し印刷を行わなければならない。
【先行技術文献】
【特許文献】
【０００８】
【特許文献１】特開平０５−０５７９８５号公報
【特許文献２】特開２００９−２３０５５９号公報
【発明の概要】
【発明が解決しようとする課題】
【０００９】
このような印刷作業は、ラベルを作成する人が同一人であり、前回の作成作業が直近のことであれば、記憶を頼りにある程度は正確に作業を行うことができる。
【００１０】
しかし、前回の作成作業から時間が経っていたり、また違う人が同様の作業を行う場合は、フォントの種類など印刷してみないと正しいかどうかを判断するのは困難な部分もあるので、間違ったもので印刷してしまう可能性が多分にある。
【００１１】
また、印刷内容をメモリに記憶しておけば、次回印刷の「候補」として利用することはできる。この場合、パーソナルコンピュータや携帯電話など記憶容量の大きなＲＡＭ(Random Access Memory)を積んでいる電子機器では、その容量を活かし多くの内容を保存しておくことができる。
【００１２】
例えば、パーソナルコンピュータや携帯電話では文章を入力する際に初めの一文字、例えば「あ」を入力した時点で、今までに入力した履歴を、例えば「明日」、「明日は」、「雨が」・・・等と表示して、文章入力を支援する機能が付いている。
【００１３】
しかし、テープ印刷装置のような販売価格の低廉な小型の機器では、他の電子機器のような大容量のＲＡＭは搭載できない。また、ＲＡＭの記憶は電源を切ったときに記憶内容が消えてしまうという問題がおきる。
【００１４】
また、フラッシュメモリなど不揮発性メモリは、電源を切っても記憶内容は消えないが不揮発性メモリは書き込み速度が遅く、頻繁に書き込みを行うときには問題があり、単純にすべての印刷内容を「候補」として記憶しておくわけにはいかない。
【００１５】
また、候補の表示においても無駄な候補を表示してしまうと、それだけでも効率が悪くなるが、テープ印刷装置の比較的小さな液晶画面には多くの候補を表示させることができないという問題がある。
【００１６】
本発明は、上記従来の課題を解決するものであって、ラベルを作成する人が違っていても前回と同一内容の日付違いラベル又は番号違いラベルを効率よく簡単に作成できるテープ印字装置を提供することを目的とする。
【課題を解決するための手段】
【００１７】
前記課題を解決するために、本発明のテープ印字装置の一態様は、制御手段と、記憶手段と、入力手段と、表示手段と、印刷手段と、を備え、前記制御手段は、前記入力手段に対してユーザによりキー入力された文章が、前記印刷手段により印刷テープへ印刷され、印刷が完了したとき、印刷された当該文章の内容に年月日又は番号が含まれていた場合は、当該年月日又は当該番号に関連付けて当該文章を履歴として前記記憶手段に記憶させ、前記表示手段は、前記ユーザ又は前記ユーザとは異なるユーザによって、前記入力手段に対して最初の一文字が入力された段階で、前記記憶手段に記憶されていた前記履歴から当該最初の一文字に対応する文章の複数の候補を画面に表示すると共に、当該画面に表示された当該複数の候補のうちの先頭の候補の表示位置にカーソルを、前記入力手段に対するキー入力により移動が可能なように表示する、ことを特徴とする。
【発明の効果】
【００１８】
本発明は、ラベルを作成する人が違っていても文章が前回と同一内容の日付違いラベル又は番号違いラベルを効率よく簡単に作成できるテープ印字装置を提供することができるという効果を奏する。
【図面の簡単な説明】
【００１９】
【図１】本発明の実施例１に係るテープ印刷装置の斜視図である。
【図２】上図は実施例１に係るテープ印刷装置に使用するテープカセットの外観斜視図、下図はテープ印刷装置の内部構造の一部であるテープカセット装填部を示す斜視図である。
【図３】実施例１に係るテープ印刷装置のシステム回路構成を示すブロック図である。
【図４】(a),(b),(c)は実施例１に係るテープ印刷装置の制御装置によって処理される文章が同一内容の日付違いラベル又は番号違いラベルを効率よく簡単に作成する処理において表示部の表示画面に表示される表示状態を示す図である。
【発明を実施するための形態】
【００２０】
以下、本発明の実施の形態について、図面を参照しながら詳細に説明する。尚、以下の説明では、「印字」と「印刷」とは同義の用語として用いている。
【実施例１】
【００２１】
図１は、実施例１に係るテープ印刷装置の外観斜視図である。図１に示すように、本例のテープ印刷装置１は、方形状の上面２と、この上面２から前方に傾斜する傾斜面３と、両側面及び下面並びに背面と、から形成された中空の筐体４を備えている。
【００２２】
筐体４の傾斜面３には、ほぼ全面に多数の入力キー５からなるキー入力部６が形成され、上面２には、左下方に表示部７が設けられ、右上方に開閉蓋８が形成されている。また、右側面にはテープ繰出口９が形成されている。
【００２３】
図１には、テープ繰出口９から繰り出されている印刷テープ１１も示している。印刷テープ１１は、表面に印刷面を備え裏面に粘着面を備えた印刷層と、粘着面に貼着された剥離層と、が積層されて形成されている。テープ印刷装置１は、この印刷テープ１１に文字等を印刷する。
【００２４】
尚、図示していないが、筐体４には、パーソナルコンピュータ等の外部機器と接続するための入力端子、電源コードが接続される電源端子、メモリカード等の記憶媒体が挿入される挿入口等も形成されている。
【００２５】
キー入力部６の入力キー５は、文字データを入力する文字入力キー、印刷開始を指示する印刷キー、表示部７の表示画面上のカーソルを移動操作するカーソルキー、印刷モードの設定や各種設定処理を行なう種々の制御キーによって構成されている。
【００２６】
また、表示部７は、液晶表示装置等からなり、入力キー、メモリカード、又は外部機器から入力された文章、画像、各種の設定のための選択メニュー、各種の処理に関するメッセージ等が表示される。尚、表示部７は、タッチパネル等を形成することにより入力部３としての機能を持たせることもできる。
【００２７】
図２において、上図はテープ印刷装置１に使用するテープカセットの外観斜視図であり、下図は図１に示した開閉蓋８の下部に形成されているテープ印刷装置１の内部構造の一部であるテープカセット装填部を示す斜視図である。
【００２８】
このテープカセット装填部１２には、サーマルヘッド１３が上下に回動自在に配設され、このサーマルヘッド１３に対向してプラテンローラ１４がサーマルヘッド１３の方向に付勢されて配設されている。これらサーマルヘッド１３とプラテンローラ１４とで、このテープ印刷装置１における印字部が形成されている。
【００２９】
そして、サーマルヘッド１３よりもテープカセット収納部１２の内部の方向にインクリボン巻き取り駆動軸１５が配置されている。また、上記の印字部からより離れた３隅にはカセット受部１６が形成されている。
【００３０】
３個のカセット受部１６のうちの左上隅のカセット受部１６には、可動突起１７が配設されている。可動突起１７は、テープカセット装填部１２に、図２の上図に示すテープカセット１８が装填されたことを検出するとともに、収容されている印刷テープの幅によるテープカセット１８の種類を検出する。
【００３１】
また、カセット装填部１２の、印字部よりも右方の壁には、筐体４の内部から外部に貫通する上述したテープ繰出口９が形成されている。このテープ繰出口９の通路の両側には、通路を挟んで対向配置されたテープフルカット装置１９及びテープハーフカット装置２１が組み込まれている。
【００３２】
テープフルカット装置１９は、固定刃１９ａと可動刃１９ｂとから成り、テープ繰出口９を通過する印刷済みの印刷テープを所定の位置でフルカットする。テープハーフカット装置２１は、固定刃２１ａと可動刃２１ｂとから成り、テープ繰出口９を通過する印刷済みの印刷テープを所定の位置でハーフカットする。
【００３３】
このカセット装填部１２に装填される図２の上図に示すテープカセット１８は、カセットケース２２を備えている。カセットケース２２の内部には、印刷層２３と剥離層２４とから成る印刷テープ１１が巻装されたテープコア２５が収容されている。
【００３４】
更に、カセットケース２２内には、未使用のインクリボン２６が巻装されたリボン供給コア２７と、使用済みのインクリボン２６を巻取るリボン巻取コア２８と、が夫々収容されている。リボン巻取コア２８は、テープカセット１８がカセット装填部１２に装填されたとき、インクリボン巻き取り駆動軸１５に嵌合して係合する。
【００３５】
また、テープカセット１８のカセットケース２２には、テープカセット装填部１２内にテープカセット１８が装填された場合に、サーマルヘッド１３が位置するヘッド配置部２９が形成されている。
【００３６】
また、カセットケース２２のテープ繰出口９の隅部を除く３箇所の隅部には、テープカセット装填部１２のカセット受部１６と係合し、このカセット受部１６によって支持される被係合部３１が形成されている。
【００３７】
この被係合部３１には、図２の上図では陰になって見えないが、テープカセット１８の種類に応じた所定の凹凸が形成されている。この凹凸の組み合わせが前述したテープカセット装填部１２の１箇所のカセット受部１６に配設されている可動突起１７により検出され、テープカセット１８の種類が判別される。
【００３８】
このテープ印刷装置１は、印刷の指示がされると、印刷テープ１１とインクリボン２６とがテープカセット１８から繰り出され、プラテンローラ１４とサーマルヘッド１３との間に重ね合わされた状態で挟み込まれて搬送される。
【００３９】
そして、サーマルヘッド１３が印刷データに基づいて発熱駆動され、インクリボン２６のインクが印刷テープ１１の印刷層２３の印刷面に熱転写されて印刷テープ１１に印刷が行なわれる。
【００４０】
印刷が終了すると、テープフルカット装置１９が作動して印刷テープ１１が幅方向に切断され、１枚の貼付テープが作成される。また、複数枚の貼付テープが連続して作成される場合は、１枚の貼付テープの位置ごとにテープハーフカット装置２１が作動して印刷テープ１１の印刷層２３のみが幅方向に裁断される。
【００４１】
図３は、このテープ印刷装置１のシステム回路構成を示すブロック図である。このテープ印刷装置１は、図３に示すように、ＣＰＵ(central processing unit）からなる制御装置３２を備えている。制御装置３２には、図１に示した表示部７及びキー入力部１２が接続されている。
【００４２】
更に、制御装置３２には、ＲＯＭ(read only memory)３３、ＲＡＭ(Random Access Memory)３４、カウンタ３５、ＥＥＰＲＯＭ(electrically erasable programmable ROM) ３６、テープ位置検出回路３７、インクリボン検出回路３８、ヘッド駆動回路３９、モータ駆動回路４０、押圧機構駆動回路４１、及びカッタ駆動回路４２が接続されている。
【００４３】
上記のＲＯＭ３３には、テープ印字装置１の動作を制御するプログラムが格納されている。制御装置３２は、ＲＯＭ３３から読み出した上記プログラムに基づいて各部の動作を制御する。
【００４４】
ＲＡＭ３４には、特には図示しないが、画像データ領域、印刷データ領域、フラグ領域、ワーク領域等が設けられており、これらの領域に、制御装置３２により所定のデータが一時的に格納されて用いられる。
【００４５】
カウンタ３５は、例えば連番号を自動的に発生して印字するときなどに、初期設定の数値を順次インクリメントしながら用いられる。ＥＥＰＲＯＭ３６には、本例特有の印刷テープへの印刷文章の履歴が記憶される。
【００４６】
テープ位置検出回路３７には、図１、図２には図示を省略したが、テープ位置センサ４４が接続されている。テープ位置センサ４４は、例えば印字テープの印刷開始位置マーク等を検知してその検出信号を出力する。テープ位置検出回路３７は、その検出結果を制御装置３２に通知する。
【００４７】
インクリボン検出回路３８には、リボン位置センサ４５が接続されている。リボン位置センサ４５は、フルカラー印刷時におけるインクリボンのマゼンタ、シアン、イエロー等のインク色の印刷開始位置を検知してその検出信号を出力する。インクリボン検出回路３８は、その検出結果を制御装置３２に通知する。
【００４８】
ヘッド駆動回路３９には、サーマルヘッド１３が接続されている。ヘッド駆動回路３９は、制御装置３２からの制御に基づいてサーマルヘッド１３を発熱駆動する。
【００４９】
モータ駆動回路４０は、図１や図２には図示を省略したテープ送り用のモータ４６を駆動するドライバである。押圧機構駆動回路４１には、モータ又はソレノイド等からなるヘッド押圧機構４７が接続されている。
【００５０】
押圧機構駆動回路４１は、ヘッド押圧機構４７を正逆両方向に駆動して、印字時にはサーマルヘッド１３をプラテンローラ１７に圧接する方向へ回動させ、フルカラー印字で三原色を塗り重ねるため印字テープを逆送りするとき又は印字が終了したときにはサーマルヘッド１３をプラテンローラ１７から離隔する方向へ回動させる。
【００５１】
カッタ駆動回路４２は、図１や図２には図示を省略したＤＣモータを駆動するドライバである。カッタ駆動回路４２は、印字処理の進行に応じ、不図示の駆動伝達機構を介して、印字済みのテープを所定の長さにフルカット又はハーフカットするようにテープフルカット装置１９又はテープハーフカット装置２１を開閉駆動する。
【００５２】
図４(a),(b),(c)は、上記構成のテープ印刷装置１において、制御装置３２によって図３に示した各部が制御されて処理される前回作成したラベルと文章とが同一内容の日付違いラベル又は番号違いラベルを効率よく簡単に作成する処理において、制御装置３２の制御の下に、表示部７の表示画面に表示される表示状態を示す図である。
【００５３】
この処理に先立って、先ず、制御装置３２は、前回のテープ作成時において、ユーザによりキー入力部６の入力キー５からキー入力された文章が、印刷テープ１１に印字され、その印字された印刷テープ１１がテープ繰出口９から機外に排出されて印刷が完了したとき、その印刷された文章の内容に「年月日」又は「番号」が含まれていたかどうかを判別する。
【００５４】
そして、印刷された文章の内容に「年月日」又は「番号」が含まれていた場合は、制御装置３２は、当該「年月日」又は「番号」に関連付けて、印刷された文章を履歴としてＥＥＰＲＯＭ３６に記憶させる。
【００５５】
更に、制御装置３２は、文章を履歴としてＥＥＰＲＯＭ３６に記憶させるとき、印刷に使用された印刷テープの幅寸法を文章に関連付けて記憶させる。なお、ＥＥＰＲＯＭ３６の記憶容量に余裕があるときは、印刷に使用された文字のフォント（種類・サイズ）も文章に関連付けて記憶させるようにしてもよい。
【００５６】
次に、次回のラベル作成時において、前回のユーザ又は前回のユーザと異なるユーザが前回の「年月日」と異なる「年月日」に、又は前回の「番号」と異なる「番号」で、前回の文章と同一内容のラベルを作成しようとした際には、ユーザによりキー入力部６の入力キー５からキー入力される最初の一文字は、前回印刷された文章の最初の文字の発音文字になる。
【００５７】
その段階で、制御装置３２は、その最初にキー入力された発音文字に対応する最初の文字を有する文章を、ＥＥＰＲＯＭ３６に記憶されている履歴を検索し、１つであれば１つの、複数あれば複数の文章を、印刷文章の候補として表示部７の表示画面に表示する。
【００５８】
これにより、例えば図４(a)に示すように、「１．新製品企画書２０１０／８／１０」、「２．商品ラインナップ１」、・・・等のように、最初に表示画面にキー入力された発音文字「し」（４８）に対応する先頭文字を有する１つ以上の文章が表示部７の表示画面に表示される。
【００５９】
そして、制御装置３２は、表示部７の表示画面に表示された１つ以上の文章の画面先頭の（最上段の）文章候補の表示位置（左端部）にカーソル４９を表示する。このカーソル４９は、ユーザによるキー入力部６の入力キー５へのキー入力により移動が可能なように表示される。この移動は上向き又は下向きの矢印キーで指示入力が可能である。
【００６０】
ここで、制御装置３２は、ユーザが上向き又は下向きの矢印キーで、文章候補の中から選択した所望の文章を示す位置にカーソル４９を移動させ、決定キーを入力したことを認識すると、その選択された文章の「年月日」が関連付けられて記憶されているか否かを判別する。この判別は選択された文章の末尾部分のデータが日付を示すデータであるか否かを参照する処理である。
【００６１】
ここでは、図４(b)に示すように、図４(a)の１番目に表示されていた「１．新製品企画書２０１０／８／１０」が、ユーザにより選択されたものとする。そこで、制御装置３２は、「年月日」の表示５１を反転表示させると共に、日付表示の位置に合わせてカーソル５２を表示する。
【００６２】
なお、日付部分にカーソルを合わせるのは、経験上、日付を変更する頻度が高いためである。また、時計機能が付いている機種の場合は、ユーザが操作している当日の日付に自動更新させて表示するようにしてもよい。
【００６３】
また、この日付表示の場合、カーソル５２を年月日の表示の「月」の表示位置に合わせて表示させるのが好ましい。このカーソル５２は、ユーザによるキー入力部６の入力キー５へのキー入力により左右に移動が可能なように表示される。この移動は右向き又は左向きの矢印キーで指示入力が可能である。
【００６４】
従って、カーソル５２を年月日の表示の「月」の表示位置に合わせて表示させると、ユーザはカーソル５２を左右いずれにも移動させやすくなる。
【００６５】
また、特には図示しないが、制御装置３２は、上記のように複数の候補の文章の中から１つの候補がカーソル４９により選択されたとき、選択された文章の「番号」が関連付けられて記憶されているか否かを判別する。この判別も選択された文章の末尾部分のデータが数字であるか否かを参照する処理である。
【００６６】
そして、例えば、図４(a)に示す「２．商品ラインナップ１」のように、選択された文章の番号「１」が関連付けられて記憶されているときは、「１」の部分を自動的にインクリメントして「２」とし、その「２」を反転表示させ、その反転表示させた「２」の部分に合わせてカーソルを表示させるようにする。
【００６７】
また、反転表示させた番号が複数桁の番号であるときは、番号の最下位の数値表示位置に合わせてカーソルを表示するのが好ましい。このカーソルは、ユーザによるキー入力部６の入力キー５へのキー入力により左右に移動が可能なように表示される。この移動は右向き又は左向きの矢印キーで指示入力が可能である。
【００６８】
また、制御装置３２は、ユーザに対し、年月日又は番号を変更したい場合は、変更したい箇所にカーソル５２を右向き又は左向きの矢印キーで動かすことができるように制御し、変更したい箇所にカーソル５２を止めたとき、ユーザが数字をキー入力する又は上向き又は下向きの矢印キーを入力操作して数字を昇順又は降順に順送りして変更させることができるように制御する。
【００６９】
そして、制御装置３２は、カーソルの停止位置で、数値が入力操作されたとき、当該数値で、それまでカーソルの停止位置に表示されていた数値を置き換える。図４(b)に示す例では、ユーザのキー入力に応じて、同図(a)の８月１０日を示す「８／１０」が「９／１６」に置き換えられている。
【００７０】
制御装置３２は、上記のように候補の文章が選択され、変更すべき数値の入力が完了したことを、ユーザの印刷実行キーの入力操作で判別する。ここで、制御装置３２は、直ちに印刷を実行せず、図４(c)に示すように、前回使用した印刷テープの幅寸法を、確認問合せ文章とともに、表示部７の表示画面に表示する。
【００７１】
図４(c)では、表示画面の最上部の表示位置５３に、選択されて年月日の月と日とが変更された「新製品企画書２０１０／９／１６」が表示され、その下方に２行にわたって、「以前は、９ｍｍ幅のテープを使用しています。印刷してよろしいですか？」と、確認問合せ文章５４が表示されている。
【００７２】
そして、その下には、「ＹＥＳ／ＮＯ」の確認選択ボタン５５が表示されている。図４(c)に示す例では、「ＹＥＳ」が反転表示されているが、これは、現在テープカセット装填部１２に装填されている印刷テープ１１が９ｍｍ幅である場合である。
【００７３】
現在テープカセット装填部１２に装填されている印刷テープ１１が９ｍｍ幅以外の幅のものであるときは、「ＮＯ」が反転表示される。ユーザは「ＹＥＳ」の反転表示の通りでよいときは、完了キーを入力操作する。制御装置３２は印刷を実行する。
【００７４】
また、ユーザは、「ＹＥＳ」の反転表示の時点で、開閉蓋８を開いてテープカセット装填部１２に装填されている印刷テープ１１の幅を確認し、所望のテープ幅と異なるときは、横向き矢印キーを入力操作して、反転表示を「ＮＯ」に移動させる。
【００７５】
そして、現在テープカセット装填部１２に装填中の印刷テープ１１を、所望の幅の印刷テープ１１に交換した後、開閉蓋８を閉じ、横向き矢印キーを入力操作して、反転表示を「ＹＥＳ」に戻し、完了キーを入力操作する。制御装置３２は印刷を実行する。
【００７６】
尚、図４(c)の確認問合せ文章５４の表示では、ユーザが指定したフォントサイズが前回印刷したフォントサイズと違った場合には、「前回のフォントサイズは○○でした」等の表示を追加して表示するようにしてもよい。
【００７７】
上述したように、本発明の実施例によれば、前回印刷した同一文章で、年月日違い、又は番号違いのラベルを作成する場合、前回と同一人物、又は前回と異なる人物であるか否かに関らず、年月日又は番号を簡単な入力操作で書き換えるだけで前回と同一内容のラベルを効率よく簡単に作成することができる。
【００７８】
また、ユーザが前回印刷した内容を年月日違い又は番号違いで印刷しようとした際に、前回とは異なる幅の印刷テープで印刷してしまいそうになった場合には、確認問合せ文章５４が表示されるので、間違いを正すことができ、年月日又は番号以外は前回と全く同じ内容のラベルを効率的に印刷できるテープ印刷装置を実現させることができる。
【００７９】
また、年月日や番号を伴った使用頻度の高い文章のみを履歴として記憶し、他の文章は記憶しないので、小型のＥＥＰＲＯＭを搭載するだけでよく、低コストで廉価なテープ印刷装置を提供することができる。
【００８０】
同様に、年月日や番号を伴った使用頻度の高い文章のみを履歴として記憶して表示画面に候補を表示するので、無駄な候補が表示される頻度が低くなり、比較的小さな液晶画面でも効率的に前回と同一内容のラベルを作成する作業を行うことができ、この点でも、低コストで廉価なテープ印刷装置を提供することができる。
【００８１】
また、候補の文章を表示画面に呼び出し後、ユーザが書き換えるであろう文字を予め反転表示させて、更に、カーソル位置も反転文字の下に予め移動させておくので、使い勝手のよいテープ印刷装置を提供することができる。
【００８２】
本発明のいくつかの実施形態を説明したが、本発明は特許請求の範囲に記載された発明とその均等の範囲とに含まれる。以下に、本願出願の当初の特許請求の範囲に記載された発明を付記する。
【００８３】
印刷層と剥離層とを積層してなる印刷テープに文字等の印刷を行ない、該印刷テープを所定長で切断し、剥離層を剥離して、印刷層を貼付対象に貼付して用いるラベルを作成するテープ印刷装置において、
制御手段と、記憶手段と、入力手段と、表示手段と、印刷手段と、を備え、
前記制御手段は、前記入力手段に対しユーザによりキー入力された文章が、前記印刷手段により前記印刷テープへ印刷され、該印刷が完了したとき、当該印刷された文章の内容に「年月日」又は「番号」が含まれていた場合は、当該「年月日」又は「番号」に関連付けて前記文章を履歴として前記記憶手段に記憶させ、
前記表示手段は、前記ユーザ又は前記ユーザと異なるユーザが、前記「年月日」と異なる「年月日」に、又は前記「番号」と異なる「番号」で、前記文章と同内容のラベルを作成しようとした際に、前記入力手段に対し前記ユーザにより最初の一文字が入力された段階で、前記記憶手段に記憶されていた前記履歴から前記最初の一文字に対応する文章の複数の候補を画面に表示すると共に、画面先頭の候補の表示位置にカーソルを、前記入力手段に対するキー入力により移動が可能なように表示する、
ことを特徴とするテープ印字装置。
［付記２］
【００８４】
前記表示手段は、前記複数の候補の中から１つの候補が前記カーソルにより選択されたとき、選択された候補の文章に前記「年月日」が関連付けられて表示されているときは該「年月日」を反転表示させると共に、年月日の数値のいずれかの下部に合わせてカーソルを、前記入力手段に対するキー入力により左右に移動が可能なように表示し、
前記入力手段は、前記カーソルの停止位置で、数値入力キーが入力操作されたとき、当該数値入力キーで入力された数値を前記カーソルの停止位置に最初に表示されていた数値と置き換える、
ことを特徴とする付記１記載のテープ印字装置。
【００８５】
前記表示手段は、前記複数の候補の中から１つの候補が前記カーソルにより選択されたとき、選択された候補の文章に前記「番号」が関連付けられて表示されているときは該「番号」を反転表示させると共に、前記番号のいずれかの数値表示位置にカーソルを、前記入力手段に対するキー入力により、前記数値表示位置を移動が可能なように表示し、
前記入力手段は、前記カーソルの停止位置で、数値入力キーが入力操作されたとき、当該数値入力キーで入力された数値を前記カーソルの停止位置に最初に表示されていた数値と置き換える、
ことを特徴とする付記１記載のテープ印字装置。
【００８６】
前記文章を履歴として前記記憶手段に記憶させるとき、印刷に使用された印刷テープの幅寸法を前記文章に関連付けて記憶させるテープ幅記録手段を更に有し、
前記制御手段は、前記候補の文章が選択され、変更すべき入力が完了したと判断したときに、前記テープ幅記録手段が前記記憶手段に記憶させた前記印刷テープの幅寸法を、確認問合せ文章とともに前記表示手段に表示する、
ことを特徴とする付記１記載のテープ印字装置。
【産業上の利用可能性】
【００８７】
本発明は、ラベルを作成する人が違っても同一内容の日付違いラベル又は番号違いラベルを効率よく簡単に作成できるテープ印字装置に利用することができる。
【符号の説明】
【００８８】
１  テープ印字装置
２  上面
３  傾斜面
４  筐体
５  入力キー
６  キー入力部
７  表示部
８  開閉蓋
９  テープ繰出口
１１  印刷テープ
１２  テープカセット装填部
１３  サーマルヘッド
１４  プラテンローラ
１５  インクリボン巻き取り駆動軸
１６  カセット受部
１７  可動突起
１８  テープカセット
１９  テープフルカット装置
１９ａ  固定刃
１９ｂ  可動刃
２１  テープハーフカット装置
２１ａ  固定刃
２１ｂ  可動刃
２２  カセットケース
２３  印刷層
２４  剥離層
２５  テープコア
２６  インクリボン
２７  リボン供給コア
２８  リボン巻取コア
２９  ヘッド配置部
３１  被係合部
３２  制御装置
３３  ＲＯＭ(read only memory)
３４  ＲＡＭ(Random Access Memory)
３５  カウンタ
３６  ＥＥＰＲＯＭ(electrically erasable programmable ROM) 
３７  テープ位置検出回路
３８  インクリボン検出回路
３９  ヘッド駆動回路
４０  モータ駆動回路
４１  押圧機構駆動回路
４２  カッタ駆動回路
４４  テープ位置センサ
４５  リボン位置センサ
４６  モータ
４７  ヘッド押圧機構
４８  最初に表示画面にキー入力された発音文字「し」
４９  上下移動カーソル
５１  「年月日」の表示
５２  左右移動カーソル
５３  最上部の表示位置
５４  確認問合せ文章
５５  確認選択ボタン
【図２】
0005772027.tif 000002
【図３】
0005772027.tif 000003
【図１】
0005772027.tif 000004
【図４】
0005772027.tif 000005